(57)【要約】【課題】従来よりも、適切なタイミングで適度な頻度で警告を与えることができ、搭乗者に与える不快感を軽減できるとともに、より効果的にシートベルトの着用に関する警告のできる車載用電子機器を提供する。【解決手段】データベース１９に、高速道路の進入路上の位置として、高速道路の入口ゲートの位置の情報を記憶しておき、制御部１８は、ＧＰＳ受信器８によって求めた現在位置と、データベース１９に記憶された高速道路の入口ゲートの位置とが、予め設定された警告距離になった場合に、自車両が高速道路へ進行する可能性があると判定し、警告を行う。この警告は、表示部５に警告メッセージとシートベルトを着用する様子を示した絵とを有する警報画面を表示し、警報ランプ６を点滅させ、スピーカからシートベルトの着用を促す警告音声を出力することで行なう。【選択図】図２
2010221806.tif 000002
【特許請求の範囲】
【請求項１】
自車両が高速道路へ進行する可能性があるか否かを判定する判定手段と、
前記判定手段によって自車両が高速道路へ進行する可能性があると判定され、かつ、所定の報知条件を満たした場合に、シートベルトの着用に関する警告を行なう警告手段と
を備えることを特徴とする車載用電子機器。
【請求項２】
前記警告手段は、前記自車両の後部座席に向けて警告を行なう構成とし、
前記シートベルトの着用を促す警告は、後部座席のシートベルトの着用に関する警告とすること
を特徴とする請求項１に記載の車載用電子機器。
【請求項３】
ユーザからの設定を入力する設定入力手段を備え、
前記判定手段における前記自車両が高速道路へ進行する可能性があるか否かの判定条件および所定の報知条件の少なくともいずれか一方は、前記設定入力手段によって入力された設定に基づいて決定すること
を特徴とする請求項１または２に記載の車載用電子機器。
【請求項４】
前記判定手段は、高速道路への進入路上の位置またはその近傍の位置の位置情報を記憶する位置情報記憶手段と、現在位置を検出する位置検出手段とを備え、前記位置検出手段によって検出された現在位置と前記位置情報記憶手段に記憶された前記位置情報とが所定の接近関係になった場合に、自車両が高速道路へ進行する可能性があると判定すること
を特徴とする請求項１〜３のいずれかに記載の車載用電子機器。
【請求項５】
前記高速道路の進入路上の位置として、高速道路の入口ゲートの位置を用いること
を特徴とする請求項４に記載の車載用電子機器。
【請求項６】
前記高速道路の進入路上の位置として、サービスエリア・パーキングエリアの位置を用いること
を特徴とする請求項４または５に記載の車載用電子機器。
【請求項７】
前記判定手段は、現在位置を検出する位置検出手段と、一般道路と高速道路とを識別する道路種別情報を付与した道路ネットワーク情報を記憶する道路ネットワーク情報記憶手段と、前記道路ネットワーク情報を用いて、前記位置検出手段によって検出された現在位置から所定の地点までのルート検索を行うルート検索手段とを備え、前記ルート検索手段によって検索されたルートに高速道路の道路種別情報が付与された道路ネットワーク情報が含まれている場合に、自車両が高速道路へ進行する可能性があると判定すること
を特徴とする請求項１〜３のいずれかに記載の車載用電子機器。
【請求項８】
シートベルトの着用状況を検知するシートベルト着用状況検知手段を備え、
前記所定の報知条件として、前記シートベルト着用検知手段によってシートベルトの着用が検知されないこととすること
を特徴とする請求項１〜７のいずれかに記載の車載用電子機器。
【請求項９】
前記自車両の後部座席の着座状況を検知する着座状況検知手段を備え、
前記所定の報知条件として、前記着座状況検知手段によって後部座席への着座が検知された場合であることを有すること
を特徴とする請求項１〜８のいずれかに記載の車載用電子機器。
【請求項１０】
現在位置を検出する位置検出手段と、
前記自車両の座席への着座状況を検知する着座状況検知手段と、
シートベルトの着用状況を検知するシートベルト着用状況検知手段とを備え、
前記位置検出手段によって検出された位置情報と、前記シートベルト着用状況検知手段によって検出されたシートベルトの着用状況と、前記着座状況検出手段によって検出された着座状況とを関連づけて記録する記録手段を有すること
を特徴とする請求項１〜３のいずれかに記載の車載用電子機器。
【請求項１１】
当該車載用電子機器は、車両のＡＣＣＯＦＦ時に電源が供給されなくなる構成であり、
前記判定手段は、当該車載用電子機器の電源投入後、すぐに、前記自車両が高速道路へ進行する可能性があるか否かの判定を行ない、
前記所定の報知条件として、車両においてＡＣＣＯＮにしてからエンジンを始動するのにかかる一般的な時間の経過後、かつ、車両においてＡＣＣＯＮにしてから当該車両の走行開始までに係る一般的な時間内であることを有すること
を特徴とする請求項１〜１０のいずれかに記載の車載用電子機器。
【請求項１２】
車両が動き始めたことを検出する車両移動検出手段を備え、
前記所定の報知条件として、前記車両移動検知手段によって車両が動き始めたことを検出したことを有すること
を特徴とする請求項１〜１１のいずれかに記載の車載用電子機器。
【請求項１３】
請求項１〜１２のいずれかに記載の電子機器における各手段としての機能をコンピュータに実現させるためのプログラム。
【発明の詳細な説明】
【技術分野】
【０００１】
本発明は、シートベルトの着用に関する警告を行なう車載用電子機器及びプログラムに関するものである。
【背景技術】
【０００２】
事故の衝撃等から乗員を保護するために自動車等の車両にはシートベルトが設けられている。
【０００３】
しかし、シートベルトは、乗員が座席に着座した後、自ら装着する必要があるため、装着を忘れることがあった。
【０００４】
この問題を解決するため、シートベルトが非装着の場合に、その旨を示すランプを点燈させて搭乗者に知らせるシートベルト非装着表示装置が知られている（特許文献１）。
【先行技術文献】
【特許文献】
【０００５】
【特許文献１】特開２００１−１３０３７８号公報
【発明の概要】
【発明が解決しようとする課題】
【０００６】
しかしながら、従来のシートベルト非装着表示装置では、搭乗者がランプの点燈に気づかない場合があった。そこで、例えば、音声等により警告を行なったり、表示装置による警告を行なうなど、警報の強度を強めたり、あるいは、警報の頻度を多くしたりして、より積極的に警告を与える必要がある。
【０００７】
しかしその一方で、警告の強度を強めたり、警告が頻繁になされたりすると、警告がされることが、煩わしく感じられるという問題がある。
【０００８】
そこで、本発明は、係る問題を解決するためになされたもので、従来よりも、適切なタイミングで、適度な頻度で警告を与えることができ、搭乗者に与える不快感を軽減できるとともに、より効果的にシートベルトの着用に関する警告を行なうことのできる車載用電子機器を提供することを目的とする。
【課題を解決するための手段】
【０００９】
上述した目的を達成するために、本発明に係る車載用電子機器は、（１）自車両が高速道路へ進行する可能性があるか否かを判定する判定手段と、前記判定手段によって自車両が高速道路へ進行する可能性があると判定され、かつ、所定の報知条件を満たした場合に、シートベルトの着用に関する警告を行なう警告手段とを備える構成とした。
【００１０】
このようにすれば、高速道路へ進行する前に、高速道路に進行する可能性があって報知条件を満たした場合にシートベルトの着用に関する警告がなされる。したがって、車両の搭乗者は、シートベルトをうっかりし忘れていないか、また、シートベルトの着用が完全であるかを確認することができる。
【００１１】
なお、警告手段は、例えば、スピーカによって音を出力して警告したり、ランプ・ＬＥＤ等によって光を出力して警告したり、ディスプレイ等の表示装置に対してメッセージや絵を表示したりして警告を行なう構成とするとよい。
【００１２】
（２）また、前記警告手段は、前記自車両の後部座席に向けて警告を行なう構成とし、前記シートベルトの着用を促す警告は、後部座席のシートベルトの着用に関する警告とするとよい。
【００１３】
このようにすれば、高速道路に進行する前に、後部座席に向けて後部座席のシートベルト着用に関する警告がなされる。したがって、後部座席に乗車する者に対して、シートベルトの着用の確認を促すことができる。運転者は、自己のシートベルトをしているかは容易に確認できるが、後部座席の同乗者がシートベルトをしているかを確認するのは容易でない場合がある。また、後部座席の同乗者に対して、シートベルトをするようにいいにくい場合や、言い忘れる場合もあるが、このように後部座席に向けて後部座席のシートベルト着用に関する警告が機器からなされることにより、運転者が注意しない場合であっても、同乗者へ注意を与えることができる。
【００１４】
後部座席のシートベルトの着用は義務化されており、特に高速道路では罰則の対象となるが、高速道路を走行する手前でシートベルトの着用を促すことが効果的にでき、うっかりして着用を忘れて、罰則の対象となるといった事態を避けることができる。
【００１５】
特に、後部座席から見やすく聞きやすい位置に設置した後部座席用のモニタやスピーカ等を設け、これらによって警告の出力を行なうとよい。
【００１６】
（３）また、ユーザからの設定を入力する設定入力手段を備え、前記判定手段における前記自車両が高速道路へ進行する可能性があるか否かの判定条件および所定の報知条件の少なくともいずれか一方は、前記設定入力手段によって入力された設定に基づいて決定する構成とするとよい。
このようにすれば、警告のなされる条件をユーザが設定することができる。
【００１７】
（４）前記判定手段は、高速道路への進入路上の位置またはその近傍の位置の位置情報を記憶する位置情報記憶手段と、現在位置を検出する位置検出手段とを備え、前記位置検出手段によって検出された現在位置と前記位置情報記憶手段に記憶された前記位置情報とが所定の接近関係になった場合に、自車両が高速道路へ進行する可能性があると判定する構成とするとよい。
【００１８】
また、高速道路のランプウェイ上や、高速道路上での一般走行の速度（例えば４０ｋｍ／ｈ）と高速走行の速度（例えば８０ｋｍ／ｈないし１００ｋｍ／ｈ）の制限速度の切り替わりポイント等を、位置情報として記憶し、同様に判定するようにしてもよい。
【００１９】
（５）そして、前記高速道路の進入路上の位置として、高速道路の入口ゲートの位置を用いる構成とするとよい。このようにすれば、例えば、一般道路から高速道路へ進入しようとする際に、高速道路へ進入する前に警告がなされるようにすることができる。特に、入口ゲートの位置から所定距離（例えば２００ｍ）手前で警告を行なうようにするとよい。
【００２０】
（６）また、前記高速道路の進入路上の位置として、サービスエリア・パーキングエリアの位置を用いる構成とするとよい。サービスエリア・パーキングエリアは、高速道路から進入して車両を停止し、シートベルトを外して車外へ出て休憩等を取った後、再度車両を始動して、高速道路へ戻る場所である。そのため、シートベルトの装着を忘れやすいという問題がある。本発明によれば、このような場所において、警告がなされるようにすることができるので、高速道路に戻った際の安全に寄与することができる。
【００２１】
（７）また、前記判定手段は、現在位置を検出する位置検出手段と、一般道路と高速道路とを識別する道路種別情報を付与した道路ネットワーク情報を記憶する道路ネットワーク情報記憶手段と、前記道路ネットワーク情報を用いて、前記位置検出手段によって検出された現在位置から所定の地点までのルート検索を行うルート検索手段とを備え、前記ルート検索手段によって検索されたルートに高速道路の道路種別情報が付与された道路ネットワーク情報が含まれている場合に、自車両が高速道路へ進行する可能性があると判定する構成とするとよい。
例えば、ルート検索を完了したことを報知条件として警告を行なうようにするとよい。
【００２２】
（８）さらに、シートベルトの着用状況を検知するシートベルト着用状況検知手段を備え、前記所定の報知条件として、前記シートベルト着用検知手段によってシートベルトの着用が検知されないこととする構成とするとよい。
このようにすれば、シートベルトが着用されているにもかかわらず、シートベルトの着用に関する警告がなされ、煩わしく感じることを防止できる。
【００２３】
（９）また、当該車両の後部座席の着座状況を検知する着座状況検知手段を備え、前記所定の報知条件として、前記着座状況検知手段によって後部座席への着座が検知された場合であることを有する構成とするとよい。
【００２４】
このようにすれば、後部座席への着座が検知されない場合には、警告がなされないようにすることができる。よって、後部座席に誰もいないのに、警告がなされることが防止できる。特に、（２）のように、後部座席に向けて警告を行なう構成とし、シートベルトの着用を促す警告を後部座席のシートベルトの着用に関する警告とした場合に優れた効果を発揮する。また、（８）の条件と併せると、後部座席に乗員がおり、かつ、シートベルトが着用されていない場合に警告を発するようにできるので、余計な警告を回避することができ、特によい。
【００２５】
（１０）なお、位置検出手段を設ける場合、位置検出手段によって検出された位置情報と、着座状況検出手段によって検出された着座状況と、シートベルト着用状況検知手段によって検出されたシートベルトの着用状況とを関連づけて記録する記録手段を設けるとよい。
【００２６】
すなわち、現在位置を検出する位置検出手段と、当該車両の座席への着座状況を検知する着座状況検知手段と、シートベルトの着用状況を検知するシートベルト着用状況検知手段とを備え、前記位置検出手段によって検出された位置情報と、前記シートベルト着用状況検知手段によって検出されたシートベルトの着用状況と、前記着座状況検出手段によって検出された着座状況とを関連づけて記録する記録手段を有する構成とするとよい。
このようにすれば、車両の乗員がシートベルトをきちんと装着していた位置を記録することができる。
【００２７】
ところで、このような車載用電子機器は、例えば、車両のシガーソケット等から給電を受ける場合がある。この場合、車両のＡＣＣＯＦＦ時には電源が供給されず、ＡＣＣＯＮになった場合に給電が開始されることとなる。こうした車載用電子機器においては、ＡＣＣＯＮ後エンジン始動時にバッテリ電圧が低下し、当該車載用電子機器のリセットがかかる場合がある。このような場合、判定手段によって前記自車両が高速道路へ進行する可能性があると判定された場合に報知を行うと何度も警告がなされることになる。
【００２８】
（１１）そこで、当該車載用電子機器は、車両のＡＣＣＯＦＦ時に電源が供給されなくなる構成であり、前記判定手段は、当該車載用電子機器の電源投入後、すぐに、前記自車両が高速道路へ進行する可能性があるか否かの判定を行ない、前記所定の報知条件として、車両においてＡＣＣＯＮにしてからエンジンを始動するのにかかる一般的な時間の経過後、かつ、車両においてＡＣＣＯＮにしてから当該車両の走行開始までに係る一般的な時間内である構成とするとよい。
【００２９】
（１２）また、車両が動き始めたことを検出する車両移動検出手段を備え、前記所定の報知条件として、前記車両移動検知手段によって車両が動き始めたことを検出したことを有する構成とするとよい。
（１３）請求項１〜１２のいずれかに記載の電子機器における各手段としての機能をコンピュータに実現させるためのプログラムとすることができる。
【発明の効果】
【００３０】
本発明によれば、従来よりも、適切なタイミングで、適度な頻度で警告を与えることができ、搭乗者に与える不快感を軽減できるとともに、より効果的にシートベルトの着用に関する警告を行なうことができる。
【図面の簡単な説明】
【００３１】
【図１】本発明の好適な一実施形態であるナビゲーション装置の構成を示す図である。
【図２】ナビゲーション装置のブロック図を示す図である。
【図３】一実施形態の設定画面の描画例を説明する図である。
【発明を実施するための形態】
【００３２】
図１，図２は、本発明の好適な一実施の形態であるナビゲーション装置の構成を示している。本ナビゲーション装置は、車両のダッシュボード上に設置される薄型矩形状のケース本体３０を有する。ケース本体３０の前面には、表示部５を備え、表示部５上には表示部５のどの部分がタッチされたかを検出するタッチパネル２１を備え、前面の両サイドには警報ランプ６を備えている。側面にはＳＤカードメモリ用スロット部３１を備え、そのＳＤカードメモリ用スロット部３１に地図データなどが記録されたＳＤメモリカードを挿入可能としている。本ナビゲーション装置は、係るナビゲーションを行なう際の地図データを上記のＳＤメモリカードに格納された地図データ等を利用して行なう。また、ＳＤカードメモリ用スロット部３１とは反対側の側面には、ＵＳＢ端子２２を設けており、パソコンと接続し、ソフトウェアアプリケーションのバージョンアップなどを行なうことができる。また、本ナビゲーション装置は、ナビゲーション機能に加え、所望のマイクロ波の受信や、現在位置情報に基づいて車両速度測定装置等を検出するレーダー探知機としての機能も備えている。
【００３３】
図２は、本ナビゲーション装置の機能ブロック図である。ケース本体３０の背面側内部にマイクロ波受信器４を配置し、ケース本体３０の前面に表示部５と警報ランプ６と赤外線通信機７とを配置している。また、ケース本体３０の上面側内部には、ＧＰＳ受信器８を配置している。さらに、ケース本体３０の一方の側面には、アダプタージャック９を配置し、他方の側面には電源スイッチ１０並びにＤＣジャック１１を配置する。また、ケース本体３０内には、スピーカも内蔵されている。赤外線通信機７は携帯電話機１２等の赤外線通信機を内蔵した通信装置との間でデータの送受を行なう。アダプタージャック９は、メモリカードリーダ１３を接続する端子である。アダプタージャック９にメモリカードリーダ１３を接続することで、そのメモリカードリーダ１３に装着されたメモリカード１４に格納されたデータを内部に取り込むことができる。より具体的には、メモリカード１４に格納されたデータは、新規な目標物の情報（経度・緯度を含む位置情報，種別情報等）などの更新情報があり、その更新情報が制御部１８経由で装置に内蔵されるデータベース１９に格納（ダウンロード）され、データ更新がされる。データベース１９は、制御部１８のマイコン内あるいはマイコンに外付けした不揮発性メモリ（たとえばＥＥＰＲＯＭ）により実現できる。なお、データベース１９には、出荷時に一定の目標物に関する情報が登録されており、その後に追加された目標物についてのデータ等が上記のようにしてデータ更新される。また、データ更新は、赤外線通信機７を介して行なうこともできる。
【００３４】
ＤＣジャック１１は、図示省略のシガープラグコードを接続するためのもので、そのシガープラグコードを介して車両のシガーソケットに接続して電源供給を受け得るようにする。更に、本実施形態の装置は、無線受信器１５とリモコン受信器１６を備えている。無線受信器１５は、飛来する所定周波数の無線を受信する。リモコン受信器１６は、リモコン（携帯機：子機）１７とデータ通信をし、装置に対する各種の設定を行なう。
【００３５】
また、制御部１８は、上記の各種の入力機器（ＧＰＳ受信器８、マイクロ波受信器４、無線受信器１５、タッチパネル２１、リモコン受信器１６等）から入力される情報に基づき所定の処理を実行し、出力機器（表示部５，警報ランプ６，スピーカ２０等）を利用して所定の警報・メッセージを出力する。なお、これらの基本構成は、基本的に従来のものと同様のものを用いることができる。
【００３６】
本実施形態のナビゲーション装置における機能は、制御部１８に有するコンピュータが実行するプログラムとして制御部１８のＥＥＰＲＯＭ上に格納され、これを制御部１８に有するコンピュータが実行することで実現される。
【００３７】
制御部１８は、自車両が高速道路へ進行する可能性があるか否かを判定する。制御部１８は、高速道路へ進行する可能性があると判定し、かつ、所定の報知条件を満たした場合に、シートベルトの着用に関する警告を行なう。具体的には、データベース１９に、高速道路の進入路上の位置として、高速道路の入口ゲートの位置の情報を記憶しておき、ＧＰＳ受信器８によって求めた現在位置と、データベース１９に記憶された高速道路の入口ゲートの位置とが、予め設定された警告距離になった場合に、自車両が高速道路へ進行する可能性があると判定し、警告を行う。この警告は、表示部５に警告メッセージとシートベルトを着用する様子を示した絵とを有する警報画面を表示し、警報ランプ６を点滅させ、スピーカからシートベルトの着用を促す警告音声を出力することで行なう。なお、この警告音声の出力は、後部座席に向けて行うようにする。すなわち、運転者を対象とした他の警告よりも大きな音で行うようにする。またシートベルトの着用を促す警告は、「後部座席もシートベルトの着用が義務付けられています。シートベルトの着用を確認してください。」という内容の警告としている。
【００３８】
また、警告距離の設定は、ユーザからの入力によって可能になっている。地図を表示したナビゲーション画面に設けた設定ボタンの押下が検出された場合、制御部１８は、図３に示すシートベルト警告設定画面を表示部５に表示する。シートベルト警告設定画面は、シートベルト警告を行なうか否かを設定するためのシートベルト警告ＯＮ／ＯＦＦ設定部５２と、シートベルト警告を行なう警告距離を設定するための警告距離設定部５４、設定ボタン５６、キャンセルボタン５８を備える。制御部１８は、図３のシートベルト警告ＯＮ／ＯＦＦ設定部５２の「ＯＮ」の部分のタッチをタッチパネル２１によって検出した場合、「ＯＮ」の表示を「ＯＦＦ」の表示に切り替える。また、警告距離設定部５４の右側の矢印部分のタッチを検出した場合には、表示している数値（図３の例では２００）を、＋１０した値に変更し、警告距離設定部５４の左側の矢印部分のタッチを検出した場合には、表示している数値（図３の例では２００）を、−１０した値に変更する。そして、設定ボタン５６へのタッチを検出した場合には、現在表示部５に表示している設定値を、新たな設定値としてデータベース１９に記憶する。一方、キャンセルボタン５８へのタッチを検出した場合には、設定値の変更を行わずに、ナビゲーション画面へ戻る処理を行う。なお、シートベルト警告設定の初期状態は、シートベルト警告ＯＮ／ＯＦＦ設定部５２が「ＯN」、警告距離設定部５４が「２００」ｍとしている。
【００３９】
このようにすることで、高速道路の入口ゲートの位置から設定距離（例えば２００ｍ）手前で警告が行なわれることとなる。したがって、一般道路から高速道路へ進入しようとする際に、高速道路へ進入する前に警告がなされる。また、警告のなされる条件をユーザが設定することができる。
【００４０】
また、データベース１９には、サービスエリア・パーキングエリアの中心位置を記憶している。制御部１８は、ＧＰＳ受信器８で検出した現在位置が、データベース１９に記憶したいずれかのパーキングエリアまたはサービスエリアの位置から半径１００ｍ以内の範囲であり、かつ、ＧＰＳ受信器８から出力される車速が０の時間が１０秒以上継続した場合に、シートベルト警告を出力する。このようにすることで、サービスエリアやパーキングエリアで駐車したのち、出発する際などに、シートベルト警告を行なうことができる。またこのようにすることで、サービスエリア近傍の高速道路の本線を高速走行中にシートベルト警告がなされることを防止することができる。
【００４１】
なお、本実施例では、高速道路への進入路上の位置として、高速道路の入口ゲートの位置を用いることとしたが、高速道路への進入路上の位置としては、例えば、高速道路のランプウェイ上や、高速道路上での一般走行の速度（例えば４０ｋｍ／ｈ）と高速走行の速度（例えば８０ｋｍ／ｈないし１００ｋｍ／ｈ）の切り替わりポイント等を用いるようにしてもよい。
【００４２】
また、本実施例では、高速道路の入口ゲートの位置から設定距離（例えば２００ｍ）手前、または、パーキングエリアまたはサービスエリアの位置から半径１００ｍ以内の範囲であり、かつ、ＧＰＳ受信器８から出力される車速が０の時間が１０秒以上継続した場合にシートベルト警告を行うこととしたが、これ以外にも各種の方法を採りうる。
【００４３】
例えば、ナビゲーション機能として、現在位置から目的地や経由地までのルート検索を行った際に、そのルートに高速道路が含まれる場合に、シートベルト警告を出力するようにするとよい。すなわち、データベース１９には、一般道路と高速道路とを識別する道路種別情報を付与した道路ネットワーク情報を記憶しておき、この道路ネットワーク情報を用いて、ＧＰＳ受信器８によって検出された現在位置から目的地または経由地までのルート検索を行い、検索されたルートに高速道路の道路種別情報が付与された道路ネットワーク情報が含まれている場合に、シートベルト警告を行う。
【００４４】
また、本ナビゲーション装置へ電源が供給されてから１０秒経過した時点で、シートベルト警告を行なうようにしてもよい。本ナビゲーション装置は、車両のシガーソケット等から給電を受けるため、車両のＡＣＣＯＦＦ時には電源が供給されず、ＡＣＣＯＮになった場合に給電が開始されることとなる。そのため、ＡＣＣＯＮ後エンジン始動時にバッテリ電圧が低下し、当該車載用電子機器のリセットがかかる場合がある。このような場合、本ナビゲーション装置への電源投入後、すぐに、シートベルト警告を行なうのではなく、車両においてＡＣＣＯＮにしてからエンジンを始動するのにかかる一般的な時間の経過後、かつ、車両においてＡＣＣＯＮにしてから当該車両の走行開始までに係る一般的な時間内である１０秒間たった時点でシートベルト警告を行なうようにする。１０秒間という時間に替えて、ＧＰＳ受信器８で、車両が動き始めたことを検出した際に、シートベルト警告を報知するようにしてもよい。
また、本ナビゲーション装置は、オプションとして次の装置を備えることができる。
【００４５】
すなわち、後部座席から見やすく聞きやすい位置に後部座席用のモニタとスピーカを設けており、制御部１８にはこれらによって警告の出力を行なうための後部座席用音声映像出力を設ける。そして、後部座席用音声映像出力に後部座席用のモニタとスピーカが接続されている場合には、シートベルト警告は、後部座席用音声映像出力から行い、表示部５、警報ランプ６、スピーカ２０からは行わないようにする。
【００４６】
また、各座席上に備える座布団内に、当該座布団に着座した際にスイッチがオンとなるリモコン１７を設ける。なお、座布団内にスイッチを備えて後部座席の着座状況を監視するのではなく、予め車両のシート内に同様の装置を内蔵するようにしてもよい。
さらにシートベルトの着用状況を検知するため、シートベルトのバックルにシートベルトが固定されたときにスイッチがＯＮとなるリモコン１７を設ける。
【００４７】
制御部１８は、前述したシートベルト警告の条件を満たした際に、さらに次の判定を行なう。すなわち、各リモコン１７からの信号をリモコン受信器１６によって受信し、着座のスイッチがＯＮであり、かつ、シートベルトのスイッチがＯＦＦである場合にのみ、前述したシートベルト警告を行なうようにする。このようにすれば、シートベルトが着用されているにもかかわらず、シートベルトの着用に関する警告がなされ、煩わしく感じることを防止できる。後部座席に誰もいないのに、警告がなされることが防止できる。
【００４８】
なお、制御部１８は、ＧＰＳ受信器８によって検出された位置情報と、着座のスイッチとシートベルトのスイッチの状態とを関連づけてメモリカード１４に記録するとよい。例えば、１０秒間隔で記録するとよい。このようにすれば、車両の乗員がシートベルトをきちんと装着していた位置を記録することができる。
【００４９】
本実施形態のナビゲーション装置によれば、高速道路に進行する前に、後部座席に向けて後部座席のシートベルト着用に関する警告がなされる。したがって、後部座席に乗車する者に対して、シートベルトの着用の確認を促すことができる。運転者は、自己のシートベルトをしているかは容易に確認できるが、後部座席の同乗者がシートベルトをしているかを確認するのは容易でない場合がある。また、後部座席の同乗者に対して、シートベルトをするようにいいにくい場合や、言い忘れる場合もあるが、このように後部座席に向けて後部座席のシートベルト着用に関する警告が機器からなされることにより、運転者が注意しない場合であっても、同乗者へ注意を与えることができる。後部座席のシートベルトの着用は義務化されており、特に高速道路では罰則の対象となるが、高速道路を走行する手前でシートベルトの着用を促すことが効果的にでき、うっかりして着用を忘れて、罰則の対象となるといった事態を避けることができる。
【符号の説明】
【００５０】
４      マイクロ波受信器
５      表示器
６      ランプ
７      赤外線通信機
８      ＧＰＳ受信器
９      アダプタージャック
１２      携帯電話
１３      メモリカードリーダ
１４      メモリカード
１５      無線受信器
１６      リモコン受信器
１７      リモコン
１８      制御部
１９      データベース
２０      スピーカ
２１      タッチパネル
３０      ケース本体
３１      ＳＤカードメモリ用スロット部
５２      シートベルト警告ON／OFF設定部
５４      警告距離設定部
５６      設定ボタン
５８      キャンセルボタン
【図１】
2010221806.tif 000003
【図２】
2010221806.tif 000004
【図３】
2010221806.tif 000005